(57)【要約】【課題】  比較的簡便な手法で作製でき、かつ高速応答が可能であり、構成材料の制約が少なくて電極間の短絡が生じ難い光制御装置を提供すること。【解決手段】  入射光の光学特性を変化させ、この変化した光学特性の光を出射する非線形光学層４と、この非線形光学層に対し十分な屈折率差のある非導電層３と、光学特性を変化させるために非線形光学層４に電界を作用させる対向電極５とを有し、この対向電極５が、光の進行方向と交差する方向に対向して設けられている光制御装置８ａ。【選択図】          図１
2009042419.tif 000002
【特許請求の範囲】
【請求項１】
入射光の光学特性を変化させ、この変化した光学特性の光を出射する光学機能層と、前記光学特性を変化させるために前記光学機能層に電界を作用させる対向電極とを有し、この対向電極が、光の進行方向と交差する方向に対向して設けられている、光制御装置。
【請求項２】
前記対向電極の各電極が、前記光学機能層の一方の面の一端側と、その他方の面の他端側とにそれぞれ配置されている、請求項１に記載した光制御装置。
【請求項３】
前記光学機能層と非導電層とが積層されてなる積層構造を有する、請求項１に記載した光制御装置。
【請求項４】
複数の前記光学機能層が積層されている、請求項３に記載した光制御装置。
【請求項５】
前記複数の光学機能層のそれぞれにおいて、前記対向電極間に電圧が印加される、請求項４に記載した光制御装置。
【請求項６】
前記光学特性として前記入射光の波長が変化した出射光が得られる、請求項１に記載した光制御装置。
【請求項７】
前記入射光の透過波長又は吸収波長が変化する、請求項６に記載した光制御装置。
【請求項８】
前記対向電極間に電圧が印加されることにより、前記光学機能層の少なくとも屈折率が制御される、請求項７に記載した光制御装置。
【請求項９】
前記光学機能層がフォトニック結晶構造を有する、請求項１に記載した光制御装置。
【請求項１０】
前記光の進路上に液晶素子が配置され、この液晶素子によって前記光が更に変調される、請求項１に記載した光制御装置。
【請求項１１】
前記光学機能層に対向して、光の進行方向において波長選択性のあるフィルタが配置されている、請求項６に記載した光制御装置。
【請求項１２】
前記積層構造が複数の画素を形成し、前記出射光によるカラー表示が行われる表示装置として構成された、請求項３に記載した光制御装置。
【請求項１３】
前記入射光がバックライト光源又は外部光源から得られ、前記出射光がカラーフィルタに通される、請求項１１に記載した光制御装置。
【発明の詳細な説明】
【技術分野】
【０００１】
本発明は、例えば、表示装置に好適な光制御装置に関するものである。
【背景技術】
【０００２】
従来、テレビジョン受像機や情報端末機器等の表示装置については、薄型化、軽量化、大画面化及び高精細表示化の要求に答えるために、重量や厚みに限界のあるブラウン管（ＣＲＴ）型表示装置からフラットパネル表示装置へ移行する開発が盛んに行われている。
【０００３】
特に、情報端末機器としてのフラットパネル表示装置としては、例えば、液晶ディスプレイが広く普及しており、この液晶ディスプレイの高輝度化及び大型化について、昨今研究及び開発が行われている。
【０００４】
このような液晶ディスプレイは、液晶分子を利用した構造の表示装置であり、例えば、２枚のガラス板の間に液晶を封入し、そこに電圧を掛けることによって液晶分子の向きを変え、光の透過率を増減させることで像を表示する構造になっている。この構造において、液晶分子自体は発光せず、明るい場所では反射光を使って表示を行い、暗い場所では背後に仕込んだ蛍光燈(バックライト)の光を使って表示を行う。
【０００５】
更に、大きく分けて、ＳＴＮ（super twisted nematic）方式やＤＳＴＮ（double-layered STN）方式等の単純マトリクス方式と、ＴＦＴ（thin film transistor）方式等のアクティブマトリクス方式とがあり、前者の方が安価であるが、性能は後者の方が高い。また、液晶ディスプレイは、ＣＲＴディスプレイやプラズマディスプレイパネル（ＰＤＰ）等の他の表示装置に比べて薄くて軽いために、携帯用コンピュータや省スペース用デスクトップパソコンとしてよく使用されている。
【０００６】
例えば、ＴＮ型の液晶ディスプレイにおいては、例えば、光が通らないように偏光方向を直交させた２枚の偏光フィルタの間にねじれた液晶を挟むことにより、一方の偏光フィルタを通して入った入射光が、液晶分子の隙間に沿って９０度ねじれて、対向する偏光フィルタを通過（光の透過状態）する。
【０００７】
これに対して、液晶分子に電圧をかけると、液晶分子が直立してねじれが取れ、入射光がそのまま液晶分子間を進行することになり、対向する偏光フィルタを通れない（光の遮断状態）ことになる。
【０００８】
このように、ＴＮ型の液晶ディスプレイにおいては、分子の並び方が９０度ねじれた状態の液晶分子を２枚の偏光フィルタで挟んで配置しているために、電圧を印加しない状態では光が通り、電圧を印加した状態では光が遮断されて画面上では黒くなる。つまり、電圧の印加の有無によって、液晶分子層が光のシャッタ機能を果たすのである。
【０００９】
これらの液晶分子の特徴を生かした平面型表示装置及びその製造方法が数多く提案されている。
【００１０】
しかし、液晶ディスプレイは様々な利点を有する一方、表示原理に起因する技術的問題点が種々存在する。以下にこれらの問題点（１）〜（５）を列挙する。
【００１１】
（１）応答速度
液晶パネルの応答時間は、ブラウン管ディスプレイやプラズマパネルに比べて長くなる。この事実は、動画表示を主体とするテレビとして液晶パネルを利用することによって、特にはっきりと指摘されるようになっている。
【００１２】
この理由は主に、液晶層の粘度及び層の厚みのために、液晶分子の配向変化が印加波形から遅れるためである。また、バックライトも含めた表示装置として観察する場合には、表示フレーム内でバックライトが常時点灯していて画像が表示され続けること（ホールド駆動）も大きな要因である。
【００１３】
（２）視野角
他のディスプレイ（例えば、ブラウン管ディスプレイ等）と比較して、液晶パネルディスプレイは視野角が狭い。これは、液晶パネルディスプレイが液晶配向を表示に用いていることに原因があり、液晶配向の向きと観察方向との関係が光透過率や光反射率に影響するためである。
【００１４】
特に、テレビ用途等での液晶パネルディスプレイの開発においては、視野角を広げることが大きな技術課題となっている。
【００１５】
現在は、例えば、ＩＰＳ（インプレインスイッチング）方式やＶＡ（垂直配向）方式によって視野角を拡大する対策が採られている。これらの方式は、表示に用いる液晶配向の向き（例えば、明表示の場合又は暗表示の場合）の組み合わせを工夫することにより、液晶パネルディスプレイの光透過率が観察方向にできるだけ依存しないようにしている。
【００１６】
また、これらの方式ほどの効果はないが、液晶分子を用いた位相差フィルムを偏光フィルタと液晶層との間に配置して視野角を拡大する工夫もなされている。
【００１７】
（３）コントラスト
明表示の輝度を暗表示の輝度で割った値はコントラスト（これは、コントラスト比とも称され、また、通常は暗室で測定されるために、暗所コントラストとも称される。）と定義され、表示品位の一つの指標として用いられている。
【００１８】
コントラストが低い表示装のコントラストは非常に重要な指標である。コントラストにおいて、液晶パネルディスプレイは、完全な黒を表示することが難しく、限界がある。
【００１９】
これは、バックライトからの入射光を液晶パネル部が十分に遮蔽しきれないためであり、より詳細な原因は、偏光フィルタの偏光度が完全に１００％ではないことや、液晶層やカラーフィルタ等により偏光が若干解消されるために、視野角によっては表示光が漏れてきてそれが見えること等である。
【００２０】
このために、液晶パネルディスプレイによって映画等における暗い画面を映すと、例えば漆黒の闇のような表現が難しくなり、テレビ等の映像用途に液晶パネルを用いる場合の技術課題となっている。
【００２１】
なお、通常の照明が点灯した室内におけるコントラスト（明所コントラスト）については、液晶パネル（例えば透過型液晶パネル）はＰＤＰ（プラズマディスプレイパネル）等に比べてむしろ高い。これは、明所コントラストは、観察者が見る光と同様に、表示による輝度に加えて周囲の照明が表示面で反射された光も同時に測定されるためである。
【００２２】
液晶パネルディスプレイの表示面の反射率はＰＤＰの反射率より低く、明所コントラストの低下が少ない。これは、液晶パネルにおいては、光を吸収するカラーフィルタ及び偏光フィルムが表示面に配置されているのに対し、ＰＤＰにおいては、蛍光体それ自体が白くて反射率が高いためである。
【００２３】
実際に、現在の液晶パネルの暗所コントラストは５００〜１０００程度であるので、液晶パネルのコントラストが問題になるのは、暗い室内で観察する場合に限られ、明るい室内で使用する用途では問題にならないことが多い。
【００２４】
（４）消費電力
液晶パネルは、液晶素子自らが発光（自発光）しているわけではないために、一定量の光を放出する発光源が必要な場合があり、発光素子に比べると効率が悪くなる場合がある。
【００２５】
これは、偏光フィルタやカラーフィルタ等が配置されているために、バックライトを除いた液晶パネルの光の透過率が約５％〜１０％になり、バックライトからの光の大半が偏光フィルタやカラーフィルタによって吸収されてしまうからである。そのために、一般に、プラズマディスプレイパネル（ＰＤＰ）等に比べて消費電力は高くなってしまう。
【００２６】
また、バックライトを用いない液晶パネル（反射型液晶パネル）は、低消費電力の表示素子として多用されるが、用途によっては消費電力が問題になる。これは、液晶が交流駆動しなければならないためであり、表示内容が書き換わらない場合（静止画の場合）であっても、充放電のための電力が必要なためである。これらに対して、液晶ではなく他の表示方式（電気泳動ディスプレイなど）が開発されている。
【００２７】
（５）ドット落ち
液晶パネルは極めて繊細な構造を有しており、薄膜トランジスタを利用する現在主流であるＴＦＴ型液晶パネルにおいて、膨大な数のトランジスタがガラス基板上に形成されている。
【００２８】
トランジスタは異物の混入に対して極めて弱い電子部品であるために、数オングストローム程度の塵が混入しても動作不良を起こしてしまう。この結果、関連する電子回路に異常を持つドット（画素子）は正常に機能しないために、一般に言う所のドット落ちが発生する。
【００２９】
現状では、液晶パネル１枚当りで２個〜３個程度のドット落ちを容認しないと、液晶パネルの単価が１０倍にも上昇すると言われており、メーカーは技術上の限界として顧客対応に苦慮している。
【００３０】
以上に述べた問題点の中で、応答速度の低下は動画の画質を著しく劣化させる要因になっており、ディスプレイの性能向上には必須の項目となっている。
【００３１】
上述した問題点に対しては、液晶材料の低粘度化、液晶層厚の低減、表示駆動波形をオーバーシュートさせる工夫（オーバードライブ）、表示駆動波形によって表示フレーム間への黒表示の挿入、及びバックライトの明滅等の対策が採られている。
【００３２】
しかしながら、応答速度の向上は若干見られるものの、根本的な特性の改善には至っていない。
【００３３】
これに対して、新しい光制御装置の提案も行われており、いわゆるオパール３Ｄ構造を有するフォトニック結晶を用いた高速光制御装置の提案が行われている。
【００３４】
しかしながら、上述の構造では、３Ｄ構造を基板上に形成する必要があり、そのプロセスは非常に複雑である。
【００３５】
一方、上述の問題点を改善するために、平面型の表示装置において、波長選択機能を有する層と、波長シフト機能を有する層とを有する波長シフト型光制御装置が本出願人による先願において提起されているが、この構成により、簡便な手法で、安定した高速動画特性を得ることが可能となる（後記の特許文献１参照）。
【００３６】
即ち、この波長シフト型光制御装置は、基板上に、特定波長の光透過率（光吸収）を制御できる機能を有する層と、特定波長の光のみを透過する層とを形成することを特徴としている。
【００３７】
ここで、基板上に、特定波長の光透過率（光吸収）を制御できる機能を有する層においては、例えば、フォトニック結晶に電圧を印加することでその構成要素の屈折率を変化させ、フォトニックバンド波長を変化させることによって、特定波長の光透過率（光吸収）の制御が達成される。
【００３８】
図５は、こうした波長シフト型光制御装置の構成例５８を示す。
【００３９】
この構成例５８においては、図５（Ａ）に示すように、ＬＥＤ（発光ダイオード）によるバックライトモジュール５６を光源に用いて、ガラス基板６１上に、透明電極５５と強誘電性を有するＰＬＺＴ（ＰｂＬａＺｒＴｉＯ3）層５７との積層構造からなるフォトニック結晶構造を配し、その上部に、波長選択機能を有するカラーフィルタ５２Ｒ、５２Ｇ及び５２Ｂを配置している。
【００４０】
また、図５（Ｂ）には、ガラス基板６１上に、カラーフィルタ５２Ｒ、５２Ｇ及び５２Ｂ、透明電極５５並びにＰＬＺＴ層５７が積層構造を有して配置された状態を平面的に示す。
【００４１】
【特許文献１】特願２００６−１１６３８４（［請求項１］、［請求項４］、段落番号［００３７］、［図３］）
【発明の開示】
【発明が解決しようとする課題】
【００４２】
しかしながら、図５に示した先願発明の構造では、フォトニック結晶に電圧Ｖを印加する層５５と波長シフト機能を有する層５７との積層構造を有するために、電圧を印加する層５５には導電性が求められることから、選択可能な材料が限定されてしまうこと等の問題点がある。
【００４３】
また、導電性材料は比較的屈折率が高いことから、波長シフト機能を有する層５７との屈折率差を大きく取ることが難しいという問題も発生する。
【００４４】
また、可視領域の波長制御を行うために１００ｎｍ以下の薄膜の積層構造が必須となるために、導電性材料を用いる場合には、上下部での電極間の短絡（絶縁破壊）等の懸念がある。
【００４５】
本発明は、このような状況に鑑みてなされたものであって、その目的は、比較的簡便な手法で作製できる高速応答が可能な光制御装置において、その構成材料の制約を少なくし、目的とする光学特性のために隣接層間の屈折率差を大きくし、かつ電極間の短絡を十分に防止することにある。
【課題を解決するための手段】
【００４６】
即ち、本発明は、入射光の光学特性を変化させ、この変化した光学特性の光を出射する光学機能層と、前記光学特性を変化させるために前記光学機能層に電界を作用させる対向電極とを有し、この対向電極が、光の進行方向と交差する方向に対向して設けられている光制御装置に係わるものである。
【発明の効果】
【００４７】
本発明の光制御装置によれば、前記対向電極が光の進行方向と交差する方向に対向して設けられているために、前記光学機能層の光透過部以外の位置に前記対向電極を配置することができる。従って、前記対向電極が光透過部では前記光学機能層とは積層されないために、その電極構成材料は前記光学機能層との屈折率差を考慮せずに種々のものから選択でき、また前記対向電極は前記光学機能層の両側面又はその近傍に配置できるために、光透過部の膜厚が薄くても前記対向電極間の短絡を防止することができる。
【００４８】
この光制御装置はまた、各構成層を比較的簡便な手法で形成することができ、光制御装置の動作特性として高速応答性に優れている。
【発明を実施するための最良の形態】
【００４９】
本発明においては、上記の効果を十二分に発揮するために、前記対向電極の各電極が、前記光学機能層の一方の面の一端側と、その他方の面の他端側とにそれぞれ配置されているのが望ましい。
【００５０】
また、前記光学機能層と非導電層とが積層されてなる積層構造を有するのが望ましい。
【００５１】
この場合に、複数の前記光学機能層が積層されているのがよく、これらの複数の光学機能層のそれぞれにおいて、前記対向電極間に電圧が印加されてよい。
【００５２】
また、前記光学特性として前記入射光の波長が変化した出射光が得られるのが望ましく、この場合に、前記入射光の透過波長又は吸収波長が変化してよく、前記光学機能層に対向して、光の進行方向において波長選択性のあるフィルタが配置されるのが望ましい。
【００５３】
そして、この場合に、前記対向電極間に電圧が印加されることにより、前記光学機能層の少なくとも屈折率が制御されてよい。
【００５４】
また、前記光学機能層がフォトニック結晶構造を有するのが望ましい。
【００５５】
また、前記光の進路上に液晶素子が配置され、この液晶素子によって前記光が更に変調されてよい。
【００５６】
また、前記積層構造が複数の画素を形成し、前記出射光によるカラー表示が行われる表示装置として構成することができ、この場合に、前記入射光がバックライト光源又は外部光源から得られ、前記出射光がカラーフィルタに通されるのが望ましい。
【００５７】
次に、本発明の好ましい実施の形態を図面参照下に説明する。
【００５８】
第１の実施の形態
図１及び図２は、本発明の第１の実施の形態による光制御装置８ａを示すものである。
【００５９】
図１（Ａ）及び図１（Ｂ）に示すように、ＬＥＤからなるバックライトモジュール６に対向して、可視領域において光吸収のない基板（例えばガラス基板）１１上に、非導電層（例えばＳｉＯ2膜）３と非線形光学層（例えばニトロアニリン膜又はＰＬＺＴ層）４とを交互に積層した積層構造が形成されている。この積層構造は、それぞれ画素（ピクセル）を構成しており、非導電層３と非線形光学層４とは、目的とする光学特性を示すように、所定の屈折率差をなして接合している。
【００６０】
また、各非線形光学層４に電圧Ｖ1、Ｖ2、Ｖ3、Ｖ4を印加するために、透明電極（例えばＩＴＯ又はポリエチレンジオキシチオフェン電極）５が、各非線形光学層４の左端上面位置及び右端下面位置に、光の進行方向と交差してそれぞれ配置されている。これらの透明電極（対向電極）は、バックライトモジュール６の光軸に干渉しない位置（バックライトからの光の通過部を避けた位置）に対向して配置されている。各電極５は、非導電層３内に部分的に埋設された状態となっているが、これに限られるものではない。また、各電圧は互いに同じであってもよいが、異ならせてもよい。
【００６１】
この構造は、色の３原色の波長領域に対応させた表示装置として構築されることにより、色相を任意に制御することが可能な平面型の表示素子が作製可能である。
【００６２】
本実施の形態においては、例えば、可視領域に吸収のない基板としての例えば石英等のガラス基板１１上に、非導電層としてのＳｉＯ2膜３と、電圧を印加する透明電極層５としてのＩＴＯ層と、電圧を印加することで屈折率の制御が可能な非線形光学層（例えばＰＬＺＴ膜）４とが、例えば、各々１００ｎｍの厚みで２１層積層されることにより、波長シフト機能を有する光制御装置８ａを作製可能である。
【００６３】
この光制御装置では、非線形光学層（電気光学膜）４に対して透明電極５−５を斜めに対向して配置されているので、非線形光学層４には、その膜厚と長さとの関係を考慮すると、膜面の略横方向の電界が発生する。このために、非線形光学層４は、横方向の電界との相互作用により屈折率が変化する。この場合、非線形光学材料は膜面に垂直に配向する傾向が高いことから、膜面垂直方向の電界に比べて、横方向の電界には大きく反応し、屈折率の変化が大きくなる。
【００６４】
上述のＳｉＯ2膜３、ＩＴＯ層５及びＰＬＺＴ膜４は、例えば、常法のスパッタ法にてそれぞれ形成され、その後の熱処理によりＰＬＺＴ膜４が結晶化される。その後に、波長選択機能を有する層として、可視領域に吸収の無いガラス基板１の背面にカラーフィルタ２Ｒ、２Ｂ及び２Ｇがそれぞれ固定されている。
【００６５】
図２には、波長がλ1の入射光Ｌ０が光制御装置８ａ内を透過した後に、波長がλ2の出射光Ｌに変換されて各カラーフィルタを経て取り出される。これは、入射光Ｌ０が各画素毎にＲ、Ｇ又はＢに相当する波長光に選択的にシフトされ、各カラーフィルタに通されて出射光Ｌとして取り出される。
【００６６】
この光制御装置８ａの応答速度を調べた結果、従来の液晶を用いた表示素子の場合には８ｍｓｅｃであったのに対して８μｓｅｃになり、高速な動作を得ることができる。
【００６７】
なお、本実施の形態では、導電層５としてＩＴＯ層を用い、電圧を印加することで屈折率の制御が可能な特性を有する材質であるＰＬＺＴを非線形光学層４の構成材料に用いたが、この材料に限定されることなく、本発明の主旨を逸脱しない範囲で構造及び条件等は適宜変更可能である。
【００６８】
例えば、強誘電体膜の材質として、少なくともトリゴナル結晶系のＬｉＮｂＯ3及びＬｉＴａＯ3、ペロブスカイト結晶系のＢａＮａＮｂ５０１５、ＰｂＬａＺｒＴｉ、ＰｂＬａＬｉＺｒＴｉ、ＰｂＺｒＴｉ、ＫＴｉＯＰＯ4及びＫＮｂＯ3等を使用してもよい。
【００６９】
また、別の構成例として、フォトニック結晶構造の構成材料に、例えば、波長シフト可能な薄膜４としてニトロアニリン膜、非導電性薄膜３としてＳｉＯ膜、及び、透明電極５としてポリエチレンジオキシチオフェン膜をそれぞれ用いることにより、光制御装置８ａを形成することもできる。
【００７０】
即ち、可視領域に吸収の無い基板、例えば石英等のガラス基板１１上に、非導電層３としてのＳｉＯ膜、電圧を印加する電極５としてポリエチレンジオキシチオフェン、電圧を印加することで屈折率の制御が可能なニトロアニリン膜４が、例えば、それぞれ１００ｎｍの厚さで３１層積層されることにより、波長シフト機能を有する層が作製可能である。
【００７１】
また、有機導電体層(ポリエチレンジオキシチオフェン)５は、例えば、スピンオン法にて形成され、ニトロアニリン膜は蒸着法にて形成されることができる。
【００７２】
その後、波長選択機能を有する層として、可視領域に吸収のないガラス基板１上にカラーフィルタ２Ｒ、２Ｇ及び２Ｂが固定される。
【００７３】
この構成による光制御装置によって応答速度を調べた結果、従来の液晶を用いた表示素子の場合には８ｍｓｅｃであったのに対して８μｓｅｃとなり、高速な動作を得ることができる。
【００７４】
本実施の形態によれば、波長シフト機能を有する層４への電極５の配置は光透過部以外の位置とされ、この配置された複数の対向電極５により電圧が印加される。また、波長シフト機能を有する層４と合わせて使用する層３は、波長シフト機能を有する層４との間に十分に屈折率差を取ることができる非導電性材料から選択することができ、材料選択に制約を受け難い。
【００７５】
例えば、従来のＩＴＯではｎ＝１．９程度であるが、代表的なシリコン酸化膜ではｎ＝１．４となり、０．５程度小さくすることができる。
【００７６】
また、材質が非導電性であることから、既述した導電性材料と非線形光学膜との積層構造において各電極の間で生じやすい短絡や絶縁破壊等の問題も発生し難くなる。
【００７７】
この光制御装置は、比較的簡便な方法で形成することが可能となり、また高速応答が可能となって良好な特性を得ることができる。
【００７８】
第２の実施の形態
図３は、本発明の第２の実施の形態による光制御装置８ｂを示すものであり、カラーフィルタ２Ｒ、２Ｂ及び２Ｇと最上段の非導電層３との間にＬＣＤ（液晶素子）７が配置されている以外は、上述の第１の実施の形態と同様である。
【００７９】
即ち、このＬＣＤ７の存在により、上記した積層構造から得られる波長シフト（変換）された出射光が更に光変調され、目的とする波長光を選択的に取り出すことができる。但し、ＬＣＤ７は概略図示されており、その構造は公知のものから採用可能である。
【００８０】
以上、本発明を実施の形態に基づいて説明したが、本発明はこれらの例に何ら限定されるものではなく、発明の主旨を逸脱しない範囲で適宜変更可能である。
【００８１】
例えば電極５の配置は、図４（Ａ）のような上述した例以外にも、図４（Ｂ）、（Ｃ）のように非導電層３の各端面に被着されていてもよい。
【００８２】
また、非導電層３と非線形光学層４との積層構造は、必ずしも複数個積層する構造である必要はなく、例えば、個数を１つのみとしてもかまわないが、十分な波長変換を行うには複数個積層するのがよい。
【００８３】
また、バックライトモジュール６の位置については、これからの発光光が十分に活用されるならば、基板１１からの距離は変更することができる。このバックライトは透過型の表示装置に好適であるが、反射型とする場合にはバックライトは不要であり、光源は外部光となる。
【００８４】
また、ＬＣＤ７の配置については、光制御装置８ａの光出射側のみならず、光入射側に設けてもよい。また、ＬＣＤ７を、それぞれの色部分（ドット）ごとに独立して設けてもよい。
【産業上の利用可能性】
【００８５】
本発明の光制御装置は、平面型の表示装置に好適である。
【図面の簡単な説明】
【００８６】
【図１】本発明の第１の実施の形態による光制御装置の断面図（Ａ）及びＸ―Ｘ’線平面図（Ｂ）である。
【図２】同、入射光の波長変換・選択状況を示す断面図である。
【図３】本発明の第２の実施の形態による光制御装置の断面図である。
【図４】同、電極の各種配置例を示す断面図（Ａ）、（Ｂ）、（Ｃ）である。
【図５】先願発明による光制御装置の断面図（Ａ）及びその平面図（Ｂ）である。
【符号の説明】
【００８７】
１、１１…基板、２Ｒ、２Ｇ、２Ｂ…カラーフィルタ、３…非導電層、
４…非線形光学層、５…透明電極、６…バックライトモジュール、７…ＬＣＤ、
８ａ、８ｂ…光制御装置
【図１】
2009042419.tif 000003
【図２】
2009042419.tif 000004
【図３】
2009042419.tif 000005
【図４】
2009042419.tif 000006
【図５】
2009042419.tif 000007